【事件の表示】
　特許第２９５５７５２号「記録ディスクドライブ装置」の特許に対する特許異議の申立てについて、次のとおり決定する。
【結　論】
　訂正を認める。
　特許第２９５５７５２号の特許を維持する。
【理　由】
１．手続の経緯
　本件特許第２９５５７５２号発明についての出願(以下、「本件出願」という。)は、昭和５７年１２月３日に出願した実願昭５７−１８４１６１号(以下、「原出願」という。)の一部を平成５年５月２７日に分割して新たな実用新案登録出願(実願平5-33247号、以下、「分割出願」という。)とし、さらに、この分割出願を平成９年７月１０日に特許出願に変更したものであって、平成１１年７月２３日にその発明について特許の設定登録がなされ、その後、本件特許について特許異議の申立てがなされ、さらに取消理由通知がなされ、その指定期間内である平成１２年１０月２３日に訂正請求がなされたものである。
　　
２．訂正の適否についての判断
　(1) 訂正の内容
　 特許権者が求めている訂正の内容は、次のとおりである。
　 ア. 訂正事項(i)
　　願書に添付した明細書(以下、「特許明細書」という。)の特許請求の範囲第１項(請求項１)において、「記録媒体に接触および離反可能な上記装置基盤に揺動自在に取り付けられたディスク押圧部材と、」(本件特許公報第1欄12〜14行)を「記録媒体に接触および離反可能
に
記録媒体を記録ヘッドに押圧する
パッド
るホ
爪
パッド
　　また、特許請求の範囲第２項(請求項２)において、「記録ディスクドライブ。」(同公報第3欄22行)を「記録ディスクドライブ
装置
　　さらに、特許請求の範囲第３項(請求項３)において、「ディスク押圧部材」(同公報第3欄25〜26行)を「ディスク押圧
パッド
　　このように各項を訂正することによって、特許請求の範囲を以下のとおり訂正する。
　　「【請求項１】ケーシング内に記録媒体を内蔵した記録カセットを収容するカセットホルダと、上記記録カセットを所定位置に装着した状態でこのカセットホルダを着脱姿勢から駆動姿勢に移動せしめるホルダ昇降部材とを備え、上記記録媒体に記録ヘッドで記録再生する記録ディスクドライブ装置において、
　(イ)上記記録ヘッドと、上記記録媒体を回転せしめる駆動部材と、上記ケーシングに形成された位置決め孔に係合するカセット位置決め部材とをそれぞれ装備した装置基盤と、
　(ロ)上記記録ヘッドと対向した位置で記録媒体に接触および離反可能
に
記録媒体を記録ヘッドに押圧する
パッド
　(ハ)上記記録カセットを上記装置基盤に平行な挿入方向に着脱収容可能なカセット収容部と記録カセットの先端規制ストッパとを有し、上記記録媒体が記録ヘッドに係合する駆動姿勢と退避した着脱姿勢との間で上記挿入方向と直交する上下方向に昇降自在に支持されたカセットホルダと、
　(ニ)上記装置基盤に駆動位置と着脱位置との間で往復動自在に取り付けられ、上記カセット収容部の対向する両側部を係合支持してカセットホルダを駆動姿勢から着脱姿勢に移動せしめると共に着脱姿勢に保持す
るホ
　(ホ)上記ホルダ昇降部材を常時駆動位置側に付勢するチャージスプリングと、
　(へ)上記チャージスプリングに抗してホルダ昇降部材を駆動位置から着脱位置に移動せしめ、このチャージスプリングに蓄力すると共に上記カセットホルダを駆動姿勢から着脱姿勢にシフトするイジェクト操作部材と、
　(ト)上記ホルダ昇降部材を着脱位置で上記チャージスプリングの蓄力に抗して係止ロックすると共に、上記記録カセットをカセットホルダの所定位置に挿入した装着状態でこの記録カセットによって解除する係止ロック部材と、
　(チ)上記ケーシングのヘッド走査孔に設けられ常時閉鎖方向に付勢されたシャッター板を開口せしめるシャッター開閉
爪
上記記録カセットの挿入動作で上記シャッター板を開口せしめる位置に上記シャッター開閉
爪
パッド
 【請求項２】前記イジェクト操作部材を前記ホルダ昇降部材に一体に設けた請求項１記載の記録ディスクドライブ
装置
 【請求項３】前記カセットホルダを平板状部材の両側部に断面コ字状のカセット嵌合ガイドを形成して前記カセット収容部を構成すると共に、この平板状部材の上面壁に前記ディスク押圧
パッド
　 イ. 訂正事項(ii)
　　特許明細書の段落【0013】において、「離反可能なディスク押圧部材と、」(同公報第5欄15行)を「離反可能
で記録媒体を記録ヘッドに押圧する
パッド
るホ
爪
パッド
　 ウ. 訂正事項(iii)
　　特許明細書の段落【0020】において、「記録ッド(図示の磁気ヘッド６)と、ディスク押圧部材」(同公報第6欄29〜30行)を「記録
ヘ
記録ディスクをヘッドに押圧する
パッド
　 エ. 訂正事項(iv)
　　特許明細書の段落【0035】において、「係合するシャッター開閉部材」(同公報第7欄45〜46行)を「係合
しシャッター板１２２を開閉する
爪
　 オ. 訂正事項(v)
　　特許明細書の段落【0069】及び【0070】において、「ディスク押圧部材」(同公報第12欄7行及び11〜12行)を「ディスク押圧
パッド
　 カ. 訂正事項(vi)
　　特許明細書の【図面の簡単な説明】の欄における【符号の説明】において、「ディスク押圧部材」(同公報第14欄2行)及び「シャッター開閉部材」(同公報第14欄5行)を、それぞれ「ディスク押圧
パッド
爪
 　（上記訂正事項中の下線は、訂正部分を示す。）
　　
　(2) 訂正の目的の適否、新規事項の有無及び拡張・変更の存否
　 ア. 訂正事項(i)について
　　特許請求の範囲第１項における「着脱姿勢に保持する一対のホルダ昇降部材と、」を「着脱姿勢に保持す
るホ
　　また、これら以外の訂正は、特許明細書の段落【0048】及び【0049】の記載、段落【0056】の「カセットホルダ３の降下に伴って……介して磁気ヘッド６を圧接する。」(特許公報第10欄25〜28行)という記載、並びに段落【0035】及び【0053】の記載等を根拠にして、「ディスク押圧部材」及び「シャッター開閉部材」に関する事項を限定するものであるから、特許請求の範囲の減縮を目的とするものである。
　 イ. 訂正事項(ii)〜(vi)について
　　訂正事項(ii)における「着脱姿勢に保持する一対のホルダ昇降部材と、」を「着脱姿勢に保持す
るホ
　　そして、上記訂正事項(i)〜(vi)は、いずれも新規事項の追加に該当するものではなく、また実質上特許請求の範囲を拡張し、又は変更するものでもない。
　　
　(3) むすび
　 以上のとおり、上記訂正請求は、特許法第１２０条の４第２項、及び同条第３項において準用する第１２６条第２〜３項の規定に適合するものであるから、当該訂正を認める。
　　
３．特許異議の申立てについて
　(1) 異議申立ての理由の概要
　 特許異議申立人の主張する異議申立ての理由は、大要次のとおりである。
　 ア. 理　由 Ｉ
　　本件出願については、原出願の一部を分割して分割出願をしたとき、明細書に記載の「開閉爪」という用語を「シャッター開閉部材」という用語に変更したものであるから、原出願の公告明細書の記載事項の範囲内において、適法に分割されたものではない。
　　してみれば、本件出願の出願日は、そのそ及が認められず、分割出願をした日である平成５年５月２７日となるから、本件特許に係る発明は、原出願の出願公告公報である甲第１号証(実公昭６３−２３８０７号公報)に記載された発明であり、特許法第２９条第１項第３号の発明に該当し特許を受けることができないものである。
　 イ. 理　由 II
　　本件特許に係る発明は、本件の出願日前の出願(昭和57年10月1日出願)であって、その出願後に出願公開された特願昭５７−１７１０５３号出願（特開昭５９−６３００１号公報参照）の願書に最初に添付した明細書又は図面(以下「先願明細書」という。)に記載された発明と同一のものであるから、特許法第２９条の２の規定により特許を受けることができないものである。
　　
　(2) 本件発明
　 本件特許発明(以下、「本件発明」という。)の要旨は、訂正明細書の特許請求の範囲第１項(請求項１)に記載されたとおりのものと認める。(上記２.(1)ア.の【請求項１】参照)
　　
　(3) 当審の判断
　 ア. 理 由Ｉについて
　　原出願の一部を分割出願したとき変更した「シャッター開閉部材」という用語については、上記２.に記載したとおり、訂正請求によって「シャッター開閉爪」に訂正されている。
　　してみれば、分割出願は、原出願の公告明細書の記載事項の範囲内において適法に分割されたものとなり、本件出願の出願日は、そ及が認められて昭和５７年１２月３日となるから、異議申立ての理由Ｉは採用することができない。
　 イ. 理 由IIについて
　　(ア)先願明細書に記載された発明
　　 先願明細書には、以下の発明が記載されている。
　　 「ケーシング内に磁気ディスク〔記録媒体〕(12)を内蔵した磁気ディスクカセット〔記録カセット〕(1)を収容するカセットガイド〔カセットホルダ〕(24)と、前記磁気ディスクカセットを所定位置に装着した状態でこのカセットガイドを着脱姿勢から駆動姿勢に移動せしめる回動板(41)と、該回動板を回動せしめるイジェクトレバー(34)とを備え、前記磁気ディスクに固定側及び移動側の磁気ヘッド(79,80)で記録再生する磁気ディスク装置〔記録ディスクドライブ装置〕(15)において、
　　 前記固定側及び移動側の磁気ヘッド(79,80)と、前記磁気ディスクを回転せしめるスピンドル〔駆動部材〕(54)と、前記ケーシングに形成された位置決め用小孔〔位置決め孔〕(8,8)に係合する位置決めピン〔カセット位置決め部材〕(Ｐ)とをそれぞれ装備した装置の基板〔装置基盤〕(54a)と、
　　 前記固定側の磁気ヘッド〔記録ヘッド〕(80)と対向した位置で磁気ディスク(12)に接触および離反可能に前記装置の基板(54a)に揺動自在に取り付けられ磁気ディスクを固定側の磁気ヘッドに押圧する移動側の磁気ヘッド(79)と、
　　 前記磁気ディスクカセット(1)を前記装置の基板(54a)に平行な挿入方向に着脱収容可能なカセット収容部を有し、前記磁気ディスク(12)が固定側の磁気ヘッド(80)に係合する駆動姿勢と退避した着脱姿勢との間で前記挿入方向と直交する上下方向に昇降自在に支持されたカセットガイド(24)と、
　　 前記カセット収容部の対向する両側部を枢着支持してカセットガイド(24)を駆動姿勢から着脱姿勢に移動せしめると共に着脱姿勢に保持する回動板(41)と、
　　 前記装置の基板(54a)に駆動位置と着脱位置との間で往復動自在に取り付けられ、前記回動板(41)を回動せしめるイジェクトレバー(34)と、
　　 前記イジェクトレバー(34)を常時駆動位置側に付勢するスプリング〔チャージスプリング〕(38)と、
　　 前記スプリング(38)に抗してイジェクトレバー(34)を駆動位置から着脱位置に移動せしめ、このスプリングに蓄力すると共に前記カセットガイド(24)を駆動姿勢から着脱姿勢にシフトするイジェクトボタン〔イジェクト操作部材〕(Ｂ)と、
　　 前記イジェクトレバー(34)を着脱位置で前記スプリング（38）の蓄力に抗して係止ロックすると共に、前記磁気ディスクカセット(1)をカセットガイド(24)の所定位置に挿入した装着状態でこの磁気ディスクカセットによって解除するロックアーム〔係止ロック部材〕(29)と、
　　 前記ケーシングのヘッドウインド〔ヘッド走査孔〕(5)に設けられ常時閉鎖方向に付勢されたシャッタ〔シャッター板〕(6)を開口せしめる突起〔シャッター開閉爪〕とを備え、
　　 前記磁気ディスクカセット(1)の挿入動作で前記シャッタ(6)を開口せしめる位置に前記突起を、所定位置に装着した磁気ディスクカセットと連動して前記イジェクトレバー(34)の係止を解除する位置に前記ロックアーム(29)をそれぞれこの順に磁気ディスクカセットの挿入方向に配置し、且つ前記カセットガイド(24)の着脱位置から駆動位置への移動で磁気ディスクカセットの位置決め用小孔(8,8)と係合する位置に前記位置決めピン(Ｐ)を配置すると共に、前記移動側の磁気ヘッド(79)を前記カセットガイドの駆動姿勢で磁気ディスク(12)と接触し着脱姿勢で離反するように前記カセットガイドと連動せしめた磁気ディスク装置。」（なお、〔 〕内には本件発明の対応する用語を示した。）
　　(イ)対比・判断
　　 本件発明と先願明細書に記載された発明(以下、「先願発明」という。)とを対比すると、先願発明は本件発明を特定する事項の一部である以下の(i)〜(iii)を具備していないから、本件発明が先願発明と同じであるとは云えない。
　　 (i) 記録ヘッドと対向した位置で記録媒体に接触および離反可能に装置基盤に揺動自在に取り付けられ、前記記録媒体を前記記録ヘッドに押圧するディスク押圧パッド。
　　 (ii) 記録カセットの先端規制ストッパを有するカセットホルダ。
　　 (iii) 装置基盤に駆動位置と着脱位置との間で往復動自在に取り付けられ、カセット収容部の対向する両側部を係合支持してカセットホルダを駆動姿勢から着脱姿勢に移動せしめると共に着脱姿勢に保持するホルダ昇降部材。
　　
　(4) むすび
　 以上のとおりであるから、特許異議申立ての理由及び証拠によっては、本件発明についての特許を取り消すことはできない。
　　
　なお、当審において通知した取消理由は、大要異議申立ての理由Ｉと同じであるが、適法に分割されたものでない根拠として、さらに「ヘッド押さえパッド」を「ディスク押圧部材」に変更した点を挙げたものである。
　しかしながら、「ディスク押圧部材」は、訂正請求によって「ディスク押圧パッド」に訂正されているから、この取消理由についても、上記３.(3)ア.に記載したと同じ理由によって解消したものである。
　　
　また、他に本件発明についての特許を取り消すべき理由を発見しない。
　よって、結論のとおり決定する。
【異議決定日】
平成１２年１２月２１日（２０００．１２．２１）
【訂正の要旨】
　訂正の要旨
１．特許請求の範囲第１項（請求項１）において、
　「記録媒体に接触および離反可能な上記装置基盤に揺動自在に取り付けられたディスク押圧部材と、」（本件特許公報第１欄１２〜１４行）とあるを、特許請求の範囲の減縮を目的として、「記録媒体に接触および離反可能
に
記録媒体を記録ヘッドに押圧する
パッド
　「着脱姿勢に保持する一対のホルダ昇降部材と、」（同公報第２欄９〜１０行）とあるを、誤記の訂正を目的として、「着脱姿勢に保持す
るホ
　「シャッター開閉部材」（２個所、同公報第３欄８〜９行及び１０〜１１行）とあるを、特許請求の範囲の減縮を目的として、「シャッター開閉
爪
　「ディスク押圧部材」（同公報第３欄１７行）とあるを、特許請求の範囲の減縮を目的として、「ディスク押圧
パッド
２．請求の範囲第２項（請求項２）において、「記録ディスクドライブ。」（同公報第３欄２２行）とあるを、誤記の訂正を目的として、「記録ディスクドライブ
装置
３．特許請求の範囲第３項（請求項３）において、「ディスク押圧部材」（同公報第３欄２５〜２６行）とあるを、特許請求の範囲の減縮を目的として、「ディスク押圧
パッド
４．特許明細書の段落【００１３】において、
　「離反可能なディスク押圧部材と、」（同公報第５欄１５行）とあるを、明りょうでない記載の釈明を目的として、「離反可能
で記録媒体を記録ヘッドに押圧する
パッド
　「着脱姿勢に保持する一対のホルダ昇降部材と、」（同公報第５欄２１行）とあるを、誤記の訂正を目的として、「着脱姿勢に保持す
るホ
　「シャッター開閉部材」（２個所、同公報第５欄２８行及び３０行）とあるを、明りょうでない記載の釈明を目的として、「シャッター開閉
爪
　「ディスク押圧部材」（同公報第５欄３６行）とあるを、明りょうでない記載の釈明を目的として、「ディスク押圧
パッド
５．特許明細書の段落【００２０】において、「記録ッド（図示の磁気ヘッド６）と、ディスク押圧部材」（同公報第６欄２９〜３０行）とあるを、誤記の訂正及び明りょうでない記載の釈明を目的として、「記録
ヘ
記録ディスクをヘッドに押圧する
パッド
６．特許明細書の段落【００３５】において、「係合するシャッター開閉部材」（同公報第７欄４５〜４６行）とあるを、明りょうでない記載の釈明を目的として、「係合
しシャッター板１２２を開閉する
爪
７．特許明細書の段落【００６９】及び【００７０】において、「ディスク押圧部材」（同公報第１２欄７行及び１１〜１２行）とあるを、明りょうでない記載の釈明を目的として、「ディスク押圧
パッド
８．特許明細書の【図面の簡単な説明】の欄における【符号の説明】において、「ディスク押圧部材」（同公報第１４欄２行）及び「シャッター開閉部材」（同公報第１４欄５行）５とあるを、明りょうでない記載の釈明を目的として、それぞれ「ディスク押圧
パッド
爪
（５４）【発明の名称】
記録ディスクドライブ装置
（５７）【特許請求の範囲】
　【請求項１】ケーシング内に記録媒体を内蔵した記録カセットを収容するカセットホルダと、上記記録カセットを所定位置に装着した状態でこのカセットホルダを着脱姿勢から駆動姿勢に移動せしめるホルダ昇降部材とを備え、上記記録媒体に記録ヘッドで記録再生する記録ディスクドライブ装置において、
（イ）上記記録ヘッドと、上記記録媒体を回転せしめる駆動部材と、上記ケーシングに形成された位置決め孔に係合するカセット位置決め部材とをそれぞれ装備した装置基盤と、
（ロ）上記記録ヘッドと対向した位置で記録媒体に接触および離反可能
に
記録媒体を記録ヘッドに押圧する
パッド
（ハ）上記記録カセットを上記装置基盤に平行な挿入方向に着脱収容可能なカセット収容部と記録カセットの先端規制ストッパとを有し、上記記録媒体が記録ヘッドに係合する駆動姿勢と退避した着脱姿勢との間で上記挿入方向と直交する上下方向に昇降自在に支持されたカセットホルダと、
（ニ）上記装置基盤に駆動位置と着脱位置との間で往復動自在に取り付けられ、上記カセット収容部の対向する両側部を係合支持してカセットホルダを駆動姿勢から着脱姿勢に移動せしめると共に着脱姿勢に保持するホルダ昇降部材と、
（ホ）上記ホルダ昇降部材を常時駆動位置側に付勢するチャージスプリングと、
（へ）上記チャージスプリングに抗してホルダ昇降部材を駆動位置から着脱位置に移動せしめ、このチャージスプリングに蓄力すると共に上記カセットホルダを駆動姿勢から着脱姿勢にシフトするイジェクト操作部材と、
（ト）上記ホルダ昇降部材を着脱位置で上記チャージスプリングの蓄力に抗して係止ロックすると共に、上記記録カセットをカセットホルダの所定位置に挿入した装着状態でこの記録カセットによって解除する係止ロック部材と、
（チ）上記ケーシングのヘッド走査孔に設けられ常時閉鎖方向に付勢されたシャッター板を開口せしめるシャッター開閉
爪
上記記録カセットの挿入動作で上記シャッター板を開口せしめる位置に上記シャッター開閉
爪
パッド
　【請求項２】前記イジェクト操作部材を前記ホルダ昇降部材に一体に設けた請求項１記載の記録ディスクドライブ
装置
　【請求項３】前記カセットホルダを平板状部材の両側部に断面コ字状のカセット嵌合ガイドを形成して前記カセット収容部を構成すると共に、この平板状部材の上面壁に前記ディスク押圧パッドを当接支持した請求項１記載の記録ディスクドライブ装置。
【発明の詳細な説明】
　　　【０００１】
　　【産業上の利用分野】
　本発明は、フロッピーディスクなどの記録媒体をケーシング内に回転自在に収納した記録カセットを装置内に着脱装填し、この記録媒体に各種のデータを磁気的に記録或いは再生するディスクドライブ装置に関する。
　　　【０００２】
　　【従来の技術】
　一般にこの種のドライブ装置は、フロッピーディスクを駆動モータに連結されたスピンドルに結合し、回転するフロッピーディスク上の記録トラックを磁気ヘッド（トランスデューサ）で走査して磁気的に記録或いは再生している。
　　　【０００３】
　従来かかる装置は例えば特開昭５６−１１１１７３号公報に示されているように、記録カセットを挿脱収容するカセットホルダを装置フレームに昇降自在に案内し、このホルダを摺動自在の上下傾斜したカム面で支持し、このカム面の上昇位置でカセットホルダ内に記録カセットを装着或いは離脱し、下降位置でカセットホルダ内の記録カセットが駆動スピンドルと係合するものが知られている。
　　　【０００４】
　そして、カセットホルダを昇降規制する傾斜カム面を備えたホルダ昇降部材（同公報のすべり板）はホルダの左右に一対設けられ、それぞれが独立して装置フレームの側壁に摺動自在に支持され、この左右独立したホルダ昇降部材をカセットホルダ入口部の開閉扉に連動させている。
　　　【０００５】
　つまり扉を開口した状態でこれに連動した左右のホルダ昇降部材でホルダを上昇した着脱位置に、また扉を閉鎖した状態でホルダが下降した駆動装置に移動させるよう扉の開閉動作とホルダを支持する左右のホルダ昇降部材とをそれぞれ連動させている。
　　　【０００６】
　更に特開昭５６−１３５６２号公報にも同様の装置が提案されている。
　　　【０００７】
　同公報の装置は前述のホルダ昇降部材（同公報の案内板）が装置フレームに固定され、一方で記録カセットを収納するホルダが開閉扉に連動してホルダ昇降部材の傾斜した案内溝に沿って開扉時に上昇した着脱位置に、閉扉時に下降した駆動位置に移動するようになっている。
　　　【０００８】
　　【発明が解決しようとする課題】
　上述の従来装置のようにカセットホルダ入口部に設けた開閉扉に連動してホルダが着脱位置と駆動位置との間で昇降するものにあっては、扉を開いた後記録カセットを挿入し扉を閉じて駆動状態にセットしている為、記録カセットの装着から駆動状態へのセット操作が面倒である欠点がある。
　これと同時に扉に連動してカセットホルダを着脱位置から駆動位置にシフトしている為に、操作者がカセットホルダ内に記録カセットを正確に装填し、注意を払って扉を閉鎖しなければならない。
　　　【０００９】
　つまり記録カセットが不充分な姿勢、例えばカセットの装着が不完全な状態で扉を閉じた場合には記録媒体と駆動スピンドル或いは記録ヘッドが不測な位置で衝合して故障を招いたり、またカセットが正しい姿勢であっても勢い良く扉を閉じた場合には記録媒体と駆動スピンドルおよび記録ヘッドとが衝撃的に衝合して記録媒体が損傷する等の欠点があった。
　　　【００１０】
　　【発明の目的】
　本発明はカセットホルダに記録カセットを挿入する動作に連動してこのカセットホルダを着脱姿勢から記録ヘッドに係合する駆動姿勢に移動することによって記録カセット内の記録媒体を駆動位置にセットするとの知見に基づいてなされたものであり、記録カセットの駆動状態へのセットを容易かつ迅速に行うことが出来ると共に、記録媒体を駆動位置に正確にセットすることが可能な記録ディスクドライブ装置の提供をその主な目的としている。
　　　【００１１】
　更に本発明は、記録媒体を内蔵した記録カセットの装着から記録媒体を記録ヘッドとが互いに係合した駆動状態への一連の動作を記録カセットのカセットホルダヘの挿入動作に関連して連続して確実に行うことを目的としている。
　　　【００１２】
　　【課題を解決するための手段】
　本発明は、着脱姿勢と駆動姿勢との間で昇降自在に支持したカセットホルダをホルダ昇降部材で着脱姿勢に保持し、このホルダ昇降部材をカセットホルダヘの記録カセットの挿入動作に連動して着脱位置から駆動位置に移動せしめ、このホルダ昇降部材の移動によってカセットホルダを着脱姿勢から駆動姿勢にシフトして記録媒体を記録ヘッドおよび駆動部材と係合した駆動状態にセットするようにしたものであり、これによって記録カセットのカセットホルダヘの装着が容易迅速に行えると共に記録カセットを駆動状態に確実にセットすることができる。
　　　【００１３】
　その為の構成は、記録ヘッドと駆動部材とカセット位置決め部材とを装備した装置基盤と、記録媒体に接触および離反可能
で記録媒体を記録ヘッドに押圧する
パッド
爪
爪
パッド
係
　　　【００１４】
　　【実施例】
　以下図示の一実施例に従ってその構成を詳述する。
　　　【００１５】
　まず本発明のドライブ装置で駆動する記録媒体について説明すると、図１０乃至図１２に示す記録カセットＡは、ポリエステルフィルムをベースとするフロッピーディスクなどの記録媒体（図示の記録ディスク１１）と、この記録ディスク１１を収容するプラスチックで形成されたケーシング１２と、このケーシング１２に形成されたヘッド走査孔１５と、このヘッド走査孔１５を開閉するシャッター板１２２とから構成されている。記録ディスク１１にはその中心部にハブ１３が設けられ、このハブ１３の周辺にインデックスホール１２１が設けられている。
　　　【００１６】
　ハブ１３には図１１のように中心孔１３ａと、環状溝１３ｂと、衝壁１３ｃとが設けられている。
　　　【００１７】
　ケーシング１２には、ハブ１３に対向する中心穴１４と、ヘッド走査孔１５と、後述のカセットホルダ３への挿入方向先端に形成された左右の位置決め孔１６と、インデックスホール１２１と同一円周上に位置するインデック窓１７と、サイド表示孔１８と、ライトプロテクト孔１９と、左右両側のガイド溝１２４とが設けられている。
　　　【００１８】
　シャッター板１２２は非使用時にヘッド走査孔１５を閉じておくもので、ガイド溝１２４に設けられた連動片１２３に連結され、付勢スプリング１２５により常時閉鎖方向（図１１の状態）に付勢されている。
　　　【００１９】
　従ってシャッター板１２２は付勢スプリング１２５に抗して開閉操作片１２３を図１１の状態から図１２の状態に移動せしめればヘッド操作孔１５が開口され、ケーシング１２内の記録ディスク１１に外部からアクセスできることとなる。
　　　【００２０】
　一方、記録ディスクドライブ装置Ｂは、図１乃至図４のように装置のフレームで構成された装置基盤２と、上記記録カセットＡを着脱収容するカセットホルダ３と、このカセットホルダ３を昇降するスライドカムからなる後述するホルダ昇降部材４と、ハブ押さえ５と、記録
ヘ
記録ディスクをヘッドに押圧する
パッド
　　　【００２１】
　上記装置基盤２とカセットホルダ３とで、記録カセットＡを収容するカセット収容空間を構成している。
　　　【００２２】
　装置基盤２には、カセット収容空間の入口を開閉する開閉扉２１と、駆動部材（図示のスピンドル２４）と、記録ディスク１１のインデックスホール１２１を検出するインデックスセンサの受光部２７と、カセット位置決め部材（図示の位置決めピン２８）と、ホルダ昇降部材４を係止する係止ロック部材（図示のロックレバー４５）とが設けられている。
　　　【００２３】
　開閉扉２１は軸２２で開閉自在に軸承され、コイルバネ２３により閉じる方向に付勢されている。
　　　【００２４】
　スピンドル２４は図１のように中心部に設けられた突起２４ａと、この突起２４ａの周縁に設けられたフランジ２４ｂと、フランジ２４ｂに埋設された伝動ピン２４ｃとを備え、図４のようにベアリング２５を介して支持され、一端が装置基盤２の裏側でプーリ２６を介して図３の駆動モータＭに連結されている。
　　　【００２５】
　突起２４ａは記録カセットＡのハブ１３に形成された中心孔１３ａに嵌合し、フランジ２４ｂはハブ１３を支持する。伝動ピン２４ｃはハブ１３の環状溝１３ｂに係合して、環状溝１３ｂ内の衝壁１３ｃに突き当たって、ハブ１３を回転するようになっている。
　　　【００２６】
　インデックスセンサの受光部２７は、合成樹脂製のホルダ２７ａ内にホトダイオード等の受光素子を埋設して構成されている。
　　　【００２７】
　位置決めピン２８は記録カセットＡの位置決め孔１６に嵌合する位置に装置基盤２から突設されている。
　　　【００２８】
　尚、位置決めピン２８と、スピンドル２４のフランジ２４ｂと、インデックスセンサのホルダ２７ａとは、記録カセットＡをそれぞれ当接支持する高さに調節されている。
　　　【００２９】
　ロックレバー４５は装置基盤２に配置されその一端には先端爪４５ａがホルダ昇降部材４の係合突起４６を図１の状態に係止するように設けられている。ロックレバー４５の他端４５ｂはカセットホルダ３内に挿入した記録カセットＡの先端に係合してロックレバー４５が図１の時計方向に回動し、先端爪４５ａがホルダ昇降部材４の係止を解除するようになっている。
　　　【００３０】
　尚、このロックレバー４５は戻しバネ４７により図１の反時計方向に付勢されている。
　　　【００３１】
　カセットホルダ３は図２のように天板部（図示の天板３１）と、この天板３１の左右両側に取り付けられたカセットガイド３２から成るカセット収容部とを備えている。
　　　【００３２】
　天板３１は金属その他の磁性材で形成され、図４の状態に収容した記録カセットＡを外部磁気からシールドしている。
　　　【００３３】
　この天板３１には図２のように、カセット入口端に記録カセットＡの挿入時、この記録カセットＡをカセットガイド３２に導く入口ガイド片３１ａと、インデックスセンサの発光部３３と、記録カセットＡの表裏を検出するサイド検出センサの発光部３４と、ライトプロテクトセンサの発光部３５とが取り付けられている。
　　　【００３４】
　上記カセットガイド３２は記録カセットＡの両側を嵌合するよう左右対向した断面コ字状をしており、天板３１の左右にビス３６で取り付けられている。
　　　【００３５】
　この左右のカセットガイド３２には左右一対のピン３７で形成されたカム係合部と、押さえバネ３９と、記録カセットＡの先端規制ストッパ（図示の突き当てストッパ片３１１）と、記録カセットＡのシャッター板１２２の連動片１２３に係合
しシャッター板１２２を開閉する
爪
　　　【００３６】
　このような構成のカセットホルダ３は、装置基盤２の左右側枠２９ａ、２９ｂにほぼ垂直に形成してある長溝２２１にピン３７を嵌合して、装置基盤２に対してほぼ垂直方向に昇降自在に支持されている。尚、カセットホルダ３は上下いずれかの方向、図示のものは下側の駆動姿勢側にバネ３８で付勢されている。このカセットホルダ３はホルダ昇降部材４で記録カセットＡの挿入方向と直交する上下方向に昇降自在に支持されている。
　　　【００３７】
　ホルダ昇降部材４は記録カセットＡの挿入方向にガイド溝４１を有し、装置基盤２から突設したピン４２に係合し、駆動位置（図７の状態）と着脱位置（図５の状態）との間で往復動自在に支持されている。
　　　【００３８】
　ホルダ昇降部材４には図３のように外部から操作可能なイジェクト操作部材（図示のイジェクト釦４３）が一体に設けてあり、このイジェクト釦４３の操作方向（図３の矢印押し込み方向）と反対方向（駆動位置側）にチャージスプリング４４で付勢されている。
　　　【００３９】
　またホルダ昇降部材４にはロックレバー４５の先端爪４５ａが係合する係合突起４６と、カセットホルダ３のピン３７に係合するカム面４８とが設けられている。
　　　【００４０】
　このカム面４８は、カセットホルダ３の前後左右の４本のピン３７を図７の駆動姿勢に支持する駆動位置カム面４８ａと、ピン３７を図５の着脱姿勢に支持する着脱位置カム面４８ｂと、この両カム面を連結する傾斜した傾斜カム面４８ｃとを備え、ホルダ昇降部材４の移動によって図５、６、７のようにカセットホルダ３を水平即ち前後方向に傾くことなく、上昇及び下降させるように構成してある。
　　　【００４１】
　つまりホルダ昇降部材４を駆動位置（図７）と着脱位置（図５）との間で往復動することによってカセットホルダ３を駆動姿勢と着脱姿勢とに水平状態で垂直に昇降するようになっている。そしてこのホルダ昇降部材４は駆動位置から着脱位置にはイジェクト釦４３の操作で移動し、着脱位置から駆動位置にはチャージスプリング４４の蓄力で移動する。
　　　【００４２】
　ハブ押さえ５は、図８のように側枠２９ａから延設された板バネ５１と、この板バネ５１の先端に軸５３を介して取り付けられたハブ１３に摺接する滑性樹脂製の押圧片５２とを備えてある。
　　　【００４３】
　尚、押圧片５２の支軸５３は、アジャスタバネ５４を介して押圧片５２を首振り状態に揺動自在に支持している。
　　　【００４４】
　そしてハブ押さえ５は図９のようにカセットホルダ３が上昇位置の着脱姿勢のときには、カセットホルダ３の天板３１で押し上げられ、また図８のようにカセットホルダ３が下降位置の駆動姿勢のときには、板バネ５１の弾性で押圧片５２がハブ１３を押圧してスピンドル２４に確実に係合するようになっている。
　　　【００４５】
　磁気ヘッド６は記録ディスク１１の回転中心方向に摺動自在に支持されたキャリッジ６１に取り付けられている。キャリッジ６１はパルスモータ６２のプーリ６３とこれに巻かれたスチールベルト６４で駆動制御される。
　　　【００４６】
　つまりスチールベルト６４の一端はキャリッジ６１にビス止めされ、その中央部はプーリ６３に巻かれて固定され、他端はキャリッジ６１にアジャスタバネ６５を介して固定されている。
　　　【００４７】
　従って、プーリ６３が図４の時計方向に回転すれば、キャリッジ６１は記録ディスク１１の中心方向に移動し、反時計方向に回転すれば外側に移動し、記録ディスク１１上のトラックを検知してパルスモータ６２を回転制御すれば磁気ヘッド６は記録ディスク１１のトラックを追跡する。
　　　【００４８】
　そして、磁気ヘッド６に対向してヘッド押さえパッド６６がヘッド押さえレバー６７に支持されて設けられている。ヘッド押さえレバー６７はキャリッジ６１に図４の矢印方向に揺動自在に軸承してあると共に、図示してないが磁気ヘッド６に圧接する方向にスプリングで付勢してある。
　　　【００４９】
　また、ヘッド押さえレバー６７には突起６８が設けられ、カセットホルダ３が上昇位置の着脱姿勢のときにはカセットホルダ３の天板３１の図３に示す３１ｂ部位で突起６８が押し上げられて磁気ヘッド６から離れ、カセットホルダ３が降下した駆動姿勢のときは天板３１の図示３１ｂ部位から解除されて、磁気ヘッド６側に移動し図４のように記録ディスク１１を磁気ヘッド６に圧接するようになっている。
　　　【００５０】
　以下図５乃至図７の動作状態図に従って図示実施例の動作を説明する。
　　　【００５１】
　図５のようにイジェクト釦４３が押し込まれた状態では、このインジェクト釦４３と一体のホルダ昇降部材４はカム面４８ｂがカセットホルダ３を上昇させた着脱位置にピン３７を長溝２２１に沿って押し上げて支持している。この状態でチャージスプリング４４には蓄力され係止突起４６がロックレバー４５の先端爪４５ａにロックされホルダ昇降部材４はこの着脱位置に保持されている。
　　　【００５２】
　この着脱姿勢で記録カセットＡをカセットホルダ３に挿入すると、記録カセットＡは開閉扉２１と入口ガイド片３１ａとにガイドされてカセットガイド３２内に侵入する。
　　　【００５３】
　この時、カセットガイド３２の開閉爪３１２がシャッター板１２２の連動片１２３に係合し、記録カセットＡの挿入に伴ってシャッター板１２２を図１１の状態から図１２の状態に回動してヘッド走査孔１５が開口し、記録ディスク１１が外部から走査可能になる。（シャッター開口動作）
　これと同時に、インデックス窓１７も開口し、記録ディスク１１の初期位置を示すインデックスホール１２１が外部から検知可能となる。
　　　【００５４】
　また、図５のようにイジェクト釦４３が押し込まれた状態では、ハブ押さえ５とヘッド押さえレバー６７はカセットホルダ３の天板３１に当接して押し上げられ、ハブ押さえ５は記録カセットＡの嵌合部から退避し、ヘッド押さえパッド６６は磁気ヘッド６から離れる。従って、記録カセットＡの挿入時、ハブ押さえ５の押圧片５２及びヘッド押さえパッド６６に衝突することがない。
　　　【００５５】
　次いで図６に示すように記録カセットＡが所定位置まで挿入されると、その先端がロックレバー４５の端部４５ｂに突き当たって、このロックレバー４５を図１において時計方向に回動させる。
　　　【００５６】
　するとロックレバー４５の先端爪４５ａがホルダ昇降部材４の係合突起４６から離脱し、ホルダ昇降部材４はチャージスプリング４４の蓄力で図６の矢印方向に移動する。このホルダ昇降部材４の移動により、カセットホルダ３のピン３７がカム面４８ｃに沿って長溝２２１内をバネ３８で降下し、図７のようにピン３７がカム面４８ａに支持される。（カセットホルダ降下動作）
　この時、カセットホルダ３は装置基盤２上のスピンドル２４と位置決めピン２８に対し真上から垂直に降下し、ハブ１３の中心孔１３ａがスピンドル２４の突起２４ａに、記録カセットＡの位置決め孔１６が位置決めピン２８に正常な姿勢で確実に嵌合位置決めされる。（カセット位置決め動作）
　カセットホルダ３の降下に伴ってハブ押さえ５の押圧片５２がハブ１３を圧接し、ヘッド押さえレバー６７のヘッド押さえパッド６６が記録ディスク１１を介して磁気ヘッド６を圧接する。（記録媒体のヘッド押圧動作）
　そして磁気ヘッド６による記録、再生が行われる。
　　　【００５７】
　記録カセットＡをドライブ装置Ｂから取り出す場合にはイジェクト釦４３を図７の状態から図５の状態に押し込むと、ホルダ昇降部材４のカム面４８ｃに沿ってカセットホルダ３のピン３７が押し上げられ、カセットホルダ３が垂直に上昇し、チャージスプリング４４に蓄力されると共にホルダ昇降部材４の係合突起４６がロックレバー４５の先端爪４５ａに係止ロックされる。
　　　【００５８】
　このカセットホルダ３の上昇で、記録カセットＡはスピンドル２４、位置決めピン２８から離脱する。
　　　【００５９】
　このとき、カセットホルダ３の天板３１がハブ押さえ５と係合して図９のように、ハブ押さえ５の押圧片５２が記録カセットＡの嵌合部から退避する。
　　　【００６０】
　また、カセットホルダ３の上昇初期では記録カセットＡは押さえバネ３９に弾圧されてその位置を維持するが、カセットホルダ３が完全に上昇すると、その弾圧力が弱められ、記録カセットＡは付勢スプリング１２５の蓄力で開閉扉２１から外部に飛び出す。その際、シャッター板１２２は図１１の状態にヘッド走査孔１５を閉鎖する。
　　　【００６１】
　図示の実施例によれば、記録カセットＡはカセットガイド３２の所定位置まで挿入されると、ロックレバー４５の先端爪４５ａがホルダ昇降部材４の係合突起４６から離脱し、ホルダ昇降部材４はチャージスプリング４４で図６から図７の状態に移動し、カム面４８ｂに支持されていたカセットホルダ３の４本のピン３７がカム面４８ｃに沿って長溝２２１内をバネ３８の蓄力で降下し、開閉扉２１の開閉操作を行わなくても、記録カセットＡの装着動作を行うだけで、記録ディスク１１を駆動状態にセットでき、記録カセットＡの装着操作が容易である。
　　　【００６２】
　また、４本のピン３７が垂直に設けられた長溝２２１内を降下するため、カセットホルダ３は水平の姿勢を保ったままスピンドル２４と位置決めピン２８に対し真上から垂直に降下し、ハブ１３の中心孔１３ａがスピンドル２４の突起２４ａに、記録カセットＡの位置決め孔１６が位置決めピン２８に正常な姿勢で確実に嵌合し位置決めすることができる。
　　　【００６３】
　一方、イジェクト釦４３を押し込むと、ホルダ昇降部材４のカム面４８ｃに沿ってカセットホルダ３が垂直に上昇するため、記録カセットＡをスピンドル２４と位置決めピン２８から確実に離脱することができる。
　　　【００６４】
　このように記録カセットＡが水平な状態で、パブ１３の中心孔１３ａ及び位置決め孔１６を、スピンドル２４の突起２４ａ及び位置決めピン２８に係合できるので、長期間使用しても両者の損傷が少ない。
　　　【００６５】
　　【発明の効果】
　本発明は、次の効果を奏する。
（１）記録カセットの装着動作を容易に且つ迅速に行うことができる。
　　　【００６６】
　本発明は、カセットホルダを着脱姿勢から駆動姿勢に移動する際、チャージされた状態で着脱位置に係止ロックしたホルダ昇降部材をカセットホルダに挿入した記録カセットで係止解除し、解除後はホルダ昇降部材がチャージスプリングの蓄力で移動してカセットホルダを駆動姿勢にシフトするから、記録カセットをカセットホルダに装着する動作で駆動状態にセットでき記録カセットの装着を容易且つ迅速に行うことができる。
（２）記録媒体を確実に駆動位置にセットすることができる。
　　　【００６７】
　記録カセットがカセットホルダの所定位置に装着された後、カセットホルダを駆動姿勢に移動するから、位置決め孔を装置基盤のカセット位置決め部材に正確に係合させることができると共に、記録カセットが不完全な状態で駆動姿勢に移動することがなく、記録媒体を確実にセットすることができる。
（３）記録カセットの装着から駆動状態への一連の動作を連続して行うことができる。
　　　【００６８】
　つまり、記録カセットをカセットホルダに挿入する過程でヘッド走査孔のシャッター板を開口し、記録カセットが所定の装着状態に挿入された後、カセットホルダを着脱姿勢から駆動姿勢に移行させる。
　　　【００６９】
　次いで、記録カセットの位置決め孔に装置基盤のカセット位置決め部材が係合して記録カセットを駆動状態にセットし、同時に開口状態のヘッド走査孔を介してディスク押圧
パッド
　　　【００７０】
　従ってカセットホルダヘの記録カセットの挿入動作でシャッター板の開口、カセットホルダの駆動姿勢へのシフト、記録カセットの位置決め、ディスク押圧
パッド
【図面の簡単な説明】
　【図１】
　本発明の一実施例におけるドライブ装置のカセットホルダを除く分解斜視図である。
　【図２】
　ドライブ装置を構成するカセットホルダの斜視図である。
　【図３】
　ドライブ装置の要部平面図である。
　【図４】
　ドライブ装置の駆動状態における断面図である。
　【図５】
　着脱姿勢のカセットホルダに記録カセットを装着する状態説明図である。
　【図６】
　着脱姿勢のカセットホルダに記録カセットを所定位置に装着した状態説明図である。
　【図７】
　駆動姿勢のカセットホルダの状態説明図である。
　【図８】
　ドライブ装置の要部動作説明図である。
　【図９】
　ドライブ装置の要部動作説明図である。
　【図１０】
　記録カセットの斜視外観図である。
　【図１１】
　カセット内部の構造およびシャッター板の開閉動作の説明図である。
　【図１２】
　カセット内部の構造およびシャッター板の開閉動作の説明図である。
　【符号の説明】
　　Ａ………　記録カセット
　　Ｂ………　記録ディスクドライブ装置
　　Ｍ………　駆動モータ
　　２………　装置基盤
　　３………　カセットホルダ
　　４………　スライドカム（ホルダ昇降部材）
　　６………　磁気ヘッド（記録ヘッド）
　１１………　記録ディスク（記録媒体）
　１２………　記録カセットのケーシング
　１５………　記録カセットのヘッド走査孔
　１６………　記録カセットの位置決め孔
１２２………　記録カセットのシャッター板
　２４………　スピンドル（駆動部材）
　２８………　位置決めピン（カセット位置決め部材）
　３１………　天板（天板部）
　３２………　カセットガイド（カセット収容部）
　３７………　ピン（カム係合部）
　４３………　イジェクト釦（イジェクト操作部材）
　４４………　チャージスプリング
　４５………　ロックレバー（係止ロック部材）
　４８………　カム面
　６６………　ヘッド押さえパッド（ディスク押圧
パッド
３１１………　突き当てストッパ片（先端規制ストッパ）
３１２………　開閉爪（シャッター開閉
爪